(57)【要約】【課題】不定期にデータの送信のみを行い、かつ送信するデータ量も少ない無線通信と、データの送受信が継続的に行われる無線通信の両方の通信について、通信時間の観点及び帯域利用の観点で効率よい通信を可能とする無線通信端末を提供する。【解決手段】無線通信システム１において、無線通信端末１０は、接続用無線帯域中のいずれか１つのスロットを通じてデータと識別情報とを送信する。無線基地局装置３０は、接続用無線帯域のいずれか１つのスロットを通じて無線通信端末１０から受信した識別情報が記憶している識別情報と一致するか否かを判定し、受信した識別情報が登録情報記憶手段に記憶されている識別情報と一致すると判定した場合、識別情報及びデータが正常に受信されたことを示す接続可情報を応答用無線帯域を通じて無線通信端末１０に送信する。【選択図】    図１
2007028288.tif 000002
【特許請求の範囲】
【請求項１】
一意に識別可能な識別情報が予め付与される第１の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置とを備えた無線通信システムにおいて、
前記接続用無線帯域中のいずれか１つの前記スロットを通じてデータと前記識別情報とを送信する第１の無線送信手段を具備した第２の無線通信端末を備え、
前記無線基地局装置は、
前記識別情報を記憶する登録情報記憶手段と、
前記接続用無線帯域のいずれか１つのスロットを通じて前記第２の無線通信端末から受信した前記識別情報が前記登録情報記憶手段に記憶されている識別情報と一致するか否かを判定する判定手段と、
前記判定手段が受信した前記識別情報が前記登録情報記憶手段に記憶されている識別情報と一致すると判定した場合、前記第２の無線通信端末から受信した前記データを読み出し、前記接続可情報を前記応答用無線帯域を通じて前記第２の無線通信端末に送信し、前記判定手段が受信した前記識別情報が前記登録情報記憶手段に記憶されている識別情報と一致しないと判定した場合、接続不許可を示す接続不可情報を前記応答用無線帯域を通じて前記第２の無線通信端末に送信する第２の無線送信手段と、
を備えたことを特徴とする無線通信システム。
【請求項２】
前記第２の無線通信端末は、
前記無線基地局装置から前記応答用無線帯域を通じて情報を受信する第２の無線受信手段と、
前記第２の無線受信手段が前記応答用無線帯域を通じて受信する情報に前記接続可情報あるいは前記接続不可情報が含まれているか否かを判定する第２の判定手段と、
前記第２の判定手段が前記第２の無線受信手段が前記応答用無線帯域を通じて受信する情報に前記接続可情報が含まれていると判定した場合、第１の所定値を最大値とする数値範囲に基づいて乱数値を選択し、前記第２の判定手段が前記無線受信手段が前記応答用無線帯域を通じて受信する情報に前記接続不可情報が含まれていると判定した場合、前記第１の所定値を超える値である第２の所定値を最大値とする数値範囲に基づいて乱数値を選択する第２の選択手段と、を備え、
前記第１の無線送信手段は、
前記第２の選択手段が選択する乱数値に対応する位置の前記スロットにて、前記データと前記識別情報とを送信することを特徴とする請求項１に記載の無線通信システム。
【請求項３】
一意に識別可能な識別情報が予め付与される第１の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置とを備えた無線通信システムに更に備えられる第２の無線通信端末であって、
前記接続用無線帯域中のいずれか１つの前記スロットを通じてデータと前記識別情報とを前記無線基地局装置に送信する無線送信手段
を具備したことを特徴とする第２の無線通信端末。
【請求項４】
前記無線基地局装置から前記応答用無線帯域を通じて情報を受信する無線受信手段と、
前記無線受信手段が前記応答用無線帯域を通じて受信する情報に前記接続可情報あるいは、接続不許可を示す接続不可情報が含まれているか否かを判定する判定手段と、
前記判定手段が前記無線受信手段が前記応答用無線帯域を通じて受信する情報に前記接続可情報が含まれていると判定した場合、第１の所定値を最大値とする数値範囲に基づいて乱数値を選択し、前記判定手段が前記無線受信手段が前記応答用無線帯域を通じて受信する情報に前記接続不可情報が含まれていると判定した場合、前記第１の所定値を超える値である第２の所定値を最大値とする数値範囲に基づいて乱数値を選択する選択手段と、を備え、
前記無線送信手段は、
前記選択手段が選択する乱数値に対応する位置の前記スロットにて、前記データと前記識別情報とを送信することを特徴とする請求項３に記載の第２の無線通信端末。
【請求項５】
前記第１の所定値と前記第２の所定値とを記憶する記憶手段を備え、
前記選択手段は、
前記判定手段が前記無線受信手段が前記応答用無線帯域を通じて受信する情報に前記接続可情報が含まれていると判定した場合、前記記憶手段から第１の所定値を読み出し、読み出した前記第１の所定値を最大値とする数値範囲に基づいて乱数値を選択し、前記判定手段が前記無線受信手段が前記応答用無線帯域を通じて受信する情報に前記接続不可情報が含まれていると判定した場合、前記記憶手段から前記第２の所定値を読み出し、読み出した第２の所定値を最大値とする数値範囲に基づいて乱数値を選択する
ことを特徴とする請求項４に記載の第２の無線通信端末。
【請求項６】
前記第１の所定値を記憶する記憶手段を備え、
前記選択手段は、
前記判定手段が前記無線受信手段が前記応答用無線帯域を通じて受信する情報に前記接続可情報が含まれていると判定した場合、前記記憶手段から第１の所定値を読み出し、読み出した前記第１の所定値を最大値とする数値範囲に基づいて乱数値を選択し、前記判定手段が前記無線受信手段が前記応答用無線帯域を通じて受信する情報に前記接続不可情報が含まれていると判定した場合、前記受信した情報に含まれる前記第２の所定値を読み出し、読み出した第２の所定値を最大値とする数値範囲に基づいて乱数値を選択する
ことを特徴とする請求項４に記載の第２の無線通信端末。
【請求項７】
一意に識別可能な識別情報が予め付与される第１の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置と、前記接続用無線帯域中のいずれか１つの前記スロットを通じてデータと予め付与されている一意に識別可能な識別情報とを送信する第２の無線通信端末と、を備えた無線通信システムにおける無線基地局装置であって、
前記識別情報を記憶する登録情報記憶手段と、
前記接続用無線帯域のいずれか１つのスロットを通じて前記第２の無線通信端末から受信した前記識別情報が前記登録情報記憶手段に記憶されている識別情報と一致するか否かを判定する判定手段と、
前記判定手段が受信した前記識別情報が前記登録情報記憶手段に記憶されている識別情報と一致すると判定した場合、前記第２の無線通信端末から受信した前記データを読み出し、前記接続可情報を前記応答用無線帯域を通じて前記第２の無線通信端末に送信し、前記判定手段が受信した前記識別情報が前記登録情報記憶手段に記憶されている識別情報と一致しないと判定した場合、接続不許可を示す接続不可情報を前記応答用無線帯域を通じて前記第２の無線通信端末に送信する無線送信手段と、
を備えたことを特徴とする無線基地局装置。
【請求項８】
前記第２の無線通信端末が前記スロットを位置を選択するために前記第２の無線通信端末によって用いられる第２の所定値を記憶する記憶手段を備え、
前記無線送信手段は、
前記判定手段が受信した前記識別情報が前記登録情報記憶手段に記憶されている識別情報と一致しないと判定した場合、前記識別情報及び前記接続不可情報及び前記記憶手段に記憶されている前記第２の所定値を前記応答用無線帯域を通じて前記第２の無線通信端末に送信する
ことを特徴とする請求項７に記載の無線基地局装置。
【請求項９】
一意に識別可能な識別情報が予め付与される第１の無線通信端末及び第２の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置と、を備えた無線通信システムにおける無線通信方法であって、
前記第２の無線通信端末が、前記接続用無線帯域中のいずれか１つの前記スロットを通じてデータと前記識別情報とを送信するステップと、
前記無線基地局装置が、前記接続用無線帯域のいずれか１つのスロットを通じて前記第２の無線通信端末から受信した前記識別情報が前記登録情報記憶手段に記憶されている識別情報と一致するか否かを判定するステップと、
前記無線基地局装置が、受信した前記識別情報が前記登録情報記憶手段に記憶されている識別情報と一致すると判定した場合、前記第２の無線通信端末から受信した前記データを読み出し、前記接続可情報を前記応答用無線帯域を通じて前記第２の無線通信端末に送信するステップと、
前記無線基地局装置が、受信した前記識別情報が前記登録情報記憶手段に記憶されている識別情報と一致しないと判定した場合、接続不許可を示す接続不可情報を前記応答用無線帯域を通じて前記第２の無線通信端末に送信するステップと、
を有することを特徴とする無線通信方法。
【請求項１０】
前記第２の無線通信端末が、前記無線基地局装置から前記応答用無線帯域を通じて情報を受信するステップと、
前記第２の無線通信端末が、前記応答用無線帯域を通じて受信する情報に前記接続可情報あるいは前記接続不可情報が含まれているか否かを判定するステップと、
前記第２の無線通信端末が、前記応答用無線帯域を通じて受信する情報に前記接続可情報が含まれていると判定した場合、第１の所定値を最大値とする数値範囲に基づいて乱数値を選択するステップと、
前記第２の無線通信端末が、前記応答用無線帯域を通じて受信する情報に前記接続不可情報が含まれていると判定した場合、前記第１の所定値を超える値である第２の所定値を最大値とする数値範囲に基づいて乱数値を選択するステップと、
前記第２の無線通信端末が、選択する乱数値に対応する位置の前記スロットにて、前記データと前記識別情報とを送信するステップと、
を更に有することを特徴とする請求項９に記載の無線通信方法。
【請求項１１】
一意に識別可能な識別情報が予め付与される第１の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置とを備えた無線通信システムに更に備えられる第２の無線通信端末のコンピュータを、
前記接続用無線帯域中のいずれか１つの前記スロットを通じてデータと前記識別情報とを前記無線基地局装置に送信する無線送信手段
として機能させるためのコンピュータプログラム。
【請求項１２】
一意に識別可能な識別情報が予め付与される第１の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置と、前記接続用無線帯域中のいずれか１つの前記スロットを通じてデータと予め付与されている一意に識別可能な識別情報とを送信する第２の無線通信端末と、を備えた無線通信システムにおける無線基地局装置のコンピュータを、
前記接続用無線帯域のいずれか１つのスロットを通じて前記第２の無線通信端末から受信した前記識別情報が前記登録情報記憶手段に記憶されている識別情報と一致するか否かを判定する判定手段、
前記判定手段が受信した前記識別情報が前記登録情報記憶手段に記憶されている識別情報と一致すると判定した場合、前記第２の無線通信端末から受信した前記データを読み出し、前記接続可情報を前記応答用無線帯域を通じて前記第２の無線通信端末に送信し、前記判定手段が受信した前記識別情報が前記登録情報記憶手段に記憶されている識別情報と一致しないと判定した場合、接続不許可を示す接続不可情報を前記応答用無線帯域を通じて前記第２の無線通信端末に送信する無線送信手段、
として機能させるためのコンピュータプログラム。
【請求項１３】
請求項１１または請求項１２に記載のいずれかのコンピュータプログラムを記録したコンピュータ読み取り可能な記録媒体。
【発明の詳細な説明】
【技術分野】
【０００１】
本発明は、例えば、データの送受信用の帯域が各端末に割り当てられる無線通信方式にて、不定期に少ない容量のデータの送信を行う無線通信方式を可能とする無線通信システム、無線通信端末、無線基地局装置、無線通信方法及びコンピュータプログラム並びにその記録媒体に関する。
【背景技術】
【０００２】
従来の無線通信端末と無線基地局装置における無線通信方式であるＨｉｓＷＡＮ等に適用されているＴＤＭＡ／ＴＤＤ(Time Division Multiple Access/Time Division Duplex)方式では、無線基地局装置と各無線通信端末との間で通信が開始される前に、無線通信端末ごとにデータの送受信を行うための帯域が割り当てられた後に、実際のデータの送受信が開始される構成となっている（例えば、非特許文献１参照）。
【０００３】
ところで、近年、商品等に付して流通状況などを管理するために用いられる無線タグ等に対する需要が高まってきているが、このような無線タグ等は、不定期にデータの送信のみを行い、かつ送信するデータ量も少ないという特徴がある。
【非特許文献１】ＨｉＳＷＡＮ(High Speed Wireless Access Network)/ARIB STD-T70
【発明の開示】
【発明が解決しようとする課題】
【０００４】
しかしながら、上記のような不定期にデータの送信のみをおこない、かつ送信するデータ量も少ない無線タグなどの無線通信端末を上記のような従来の無線通信方式のネットワークに収容してしまうと、実際にデータを送信する時間よりも帯域の割り当てに要する時間の方が長くなってしまい、通信時間の点で効率のよい通信を行うことができないという問題がある。
【０００５】
また、無線基地局装置において割り当てることが可能な帯域は有限であり、不定期にデータの送信のみをおこない、かつ送信するデータ量も少ない無線通信端末に、ある程度の容量のデータ量が送受信可能な帯域を割り当ててしまうと、本来無線基地局装置との間である程度の容量のデータの送受信を行う無線通信端末に帯域を割り当てることができず、帯域利用の点で効率のよい通信を行うことができないという問題がある。
【０００６】
本発明は、上記問題を解決すべくなされたもので、その目的は、不定期にデータの送信のみを行い、かつ送信するデータ量も少ない無線通信と、データの送受信が継続的に行われる無線通信の両方の通信について、通信時間の点及び帯域利用の点で効率よい通信を可能とする無線通信システム、無線通信端末、無線基地局装置、無線通信方法及びコンピュータプログラム並びにその記録媒体を提供することにある。
【課題を解決するための手段】
【０００７】
上記問題を解決するために、本発明は、一意に識別可能な識別情報が予め付与される第１の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置とを備えた無線通信システムにおいて、前記接続用無線帯域中のいずれか１つの前記スロットを通じてデータと前記識別情報とを送信する第１の無線送信手段を具備した第２の無線通信端末を備え、前記無線基地局装置は、前記識別情報を記憶する登録情報記憶手段と、前記接続用無線帯域のいずれか１つのスロットを通じて前記第２の無線通信端末から受信した前記識別情報が前記登録情報記憶手段に記憶されている識別情報と一致するか否かを判定する判定手段と、前記判定手段が受信した前記識別情報が前記登録情報記憶手段に記憶されている識別情報と一致すると判定した場合、前記第２の無線通信端末から受信した前記データを読み出し、前記接続可情報を前記応答用無線帯域を通じて前記第２の無線通信端末に送信し、前記判定手段が受信した前記識別情報が前記登録情報記憶手段に記憶されている識別情報と一致しないと判定した場合、接続不許可を示す接続不可情報を前記応答用無線帯域を通じて前記第２の無線通信端末に送信する第２の無線送信手段と、を備えたことを特徴とする無線通信システムである。
【０００８】
本発明は、上記に記載の発明において、前記第２の無線通信端末は、前記無線基地局装置から前記応答用無線帯域を通じて情報を受信する第２の無線受信手段と、前記第２の無線受信手段が前記応答用無線帯域を通じて受信する情報に前記接続可情報あるいは前記接続不可情報が含まれているか否かを判定する第２の判定手段と、前記第２の判定手段が前記第２の無線受信手段が前記応答用無線帯域を通じて受信する情報に前記接続可情報が含まれていると判定した場合、第１の所定値を最大値とする数値範囲に基づいて乱数値を選択し、前記第２の判定手段が前記無線受信手段が前記応答用無線帯域を通じて受信する情報に前記接続不可情報が含まれていると判定した場合、前記第１の所定値を超える値である第２の所定値を最大値とする数値範囲に基づいて乱数値を選択する第２の選択手段と、を備え、前記第１の無線送信手段は、前記第２の選択手段が選択する乱数値に対応する位置の前記スロットにて、前記データと前記識別情報とを送信することを特徴とする。
【０００９】
本発明は、一意に識別可能な識別情報が予め付与される第１の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置とを備えた無線通信システムに更に備えられる第２の無線通信端末であって、前記接続用無線帯域中のいずれか１つの前記スロットを通じてデータと前記識別情報とを前記無線基地局装置に送信する無線送信手段を具備したことを特徴とする第２の無線通信端末である。
【００１０】
本発明は、上記に記載の発明において、前記無線基地局装置から前記応答用無線帯域を通じて情報を受信する無線受信手段と、前記無線受信手段が前記応答用無線帯域を通じて受信する情報に前記接続可情報あるいは、接続不許可を示す接続不可情報が含まれているか否かを判定する判定手段と、前記判定手段が前記無線受信手段が前記応答用無線帯域を通じて受信する情報に前記接続可情報が含まれていると判定した場合、第１の所定値を最大値とする数値範囲に基づいて乱数値を選択し、前記判定手段が前記無線受信手段が前記応答用無線帯域を通じて受信する情報に前記接続不可情報が含まれていると判定した場合、前記第１の所定値を超える値である第２の所定値を最大値とする数値範囲に基づいて乱数値を選択する選択手段と、を備え、前記無線送信手段は、前記選択手段が選択する乱数値に対応する位置の前記スロットにて、前記データと前記識別情報とを送信することを特徴とする。
【００１１】
本発明は、上記に記載の発明において、前記第１の所定値と前記第２の所定値とを記憶する記憶手段を備え、前記選択手段は、前記判定手段が前記無線受信手段が前記応答用無線帯域を通じて受信する情報に前記接続可情報が含まれていると判定した場合、前記記憶手段から第１の所定値を読み出し、読み出した前記第１の所定値を最大値とする数値範囲に基づいて乱数値を選択し、前記判定手段が前記無線受信手段が前記応答用無線帯域を通じて受信する情報に前記接続不可情報が含まれていると判定した場合、前記記憶手段から前記第２の所定値を読み出し、読み出した第２の所定値を最大値とする数値範囲に基づいて乱数値を選択することを特徴とする。
【００１２】
本発明は、上記に記載の発明において、前記第１の所定値を記憶する記憶手段を備え、前記選択手段は、前記判定手段が前記無線受信手段が前記応答用無線帯域を通じて受信する情報に前記接続可情報が含まれていると判定した場合、前記記憶手段から第１の所定値を読み出し、読み出した前記第１の所定値を最大値とする数値範囲に基づいて乱数値を選択し、前記判定手段が前記無線受信手段が前記応答用無線帯域を通じて受信する情報に前記接続不可情報が含まれていると判定した場合、前記受信した情報に含まれる前記第２の所定値を読み出し、読み出した第２の所定値を最大値とする数値範囲に基づいて乱数値を選択することを特徴とする。
【００１３】
本発明は、一意に識別可能な識別情報が予め付与される第１の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置と、前記接続用無線帯域中のいずれか１つの前記スロットを通じてデータと予め付与されている一意に識別可能な識別情報とを送信する第２の無線通信端末と、を備えた無線通信システムにおける無線基地局装置であって、前記識別情報を記憶する登録情報記憶手段と、前記接続用無線帯域のいずれか１つのスロットを通じて前記第２の無線通信端末から受信した前記識別情報が前記登録情報記憶手段に記憶されている識別情報と一致するか否かを判定する判定手段と、前記判定手段が受信した前記識別情報が前記登録情報記憶手段に記憶されている識別情報と一致すると判定した場合、前記第２の無線通信端末から受信した前記データを読み出し、前記接続可情報を前記応答用無線帯域を通じて前記第２の無線通信端末に送信し、前記判定手段が受信した前記識別情報が前記登録情報記憶手段に記憶されている識別情報と一致しないと判定した場合、接続不許可を示す接続不可情報を前記応答用無線帯域を通じて前記第２の無線通信端末に送信する無線送信手段と、を備えたことを特徴とする無線基地局装置である。
【００１４】
本発明は、上記に記載の発明において、前記第２の無線通信端末が前記スロットを位置を選択するために前記第２の無線通信端末によって用いられる第２の所定値を記憶する記憶手段を備え、前記無線送信手段は、前記判定手段が受信した前記識別情報が前記登録情報記憶手段に記憶されている識別情報と一致しないと判定した場合、前記識別情報及び前記接続不可情報及び前記記憶手段に記憶されている前記第２の所定値を前記応答用無線帯域を通じて前記第２の無線通信端末に送信することを特徴とする。
【００１５】
本発明は、一意に識別可能な識別情報が予め付与される第１の無線通信端末及び第２の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置と、を備えた無線通信システムにおける無線通信方法であって、前記第２の無線通信端末が、前記接続用無線帯域中のいずれか１つの前記スロットを通じてデータと前記識別情報とを送信するステップと、前記無線基地局装置が、前記接続用無線帯域のいずれか１つのスロットを通じて前記第２の無線通信端末から受信した前記識別情報が前記登録情報記憶手段に記憶されている識別情報と一致するか否かを判定するステップと、前記無線基地局装置が、受信した前記識別情報が前記登録情報記憶手段に記憶されている識別情報と一致すると判定した場合、前記第２の無線通信端末から受信した前記データを読み出し、前記接続可情報を前記応答用無線帯域を通じて前記第２の無線通信端末に送信するステップと、前記無線基地局装置が、受信した前記識別情報が前記登録情報記憶手段に記憶されている識別情報と一致しないと判定した場合、接続不許可を示す接続不可情報を前記応答用無線帯域を通じて前記第２の無線通信端末に送信するステップと、を有することを特徴とする無線通信方法である。
【００１６】
本発明は、上記に記載の発明において、前記第２の無線通信端末が、前記無線基地局装置から前記応答用無線帯域を通じて情報を受信するステップと、前記第２の無線通信端末が、前記応答用無線帯域を通じて受信する情報に前記接続可情報あるいは前記接続不可情報が含まれているか否かを判定するステップと、前記第２の無線通信端末が、前記応答用無線帯域を通じて受信する情報に前記接続可情報が含まれていると判定した場合、第１の所定値を最大値とする数値範囲に基づいて乱数値を選択するステップと、前記第２の無線通信端末が、前記応答用無線帯域を通じて受信する情報に前記接続不可情報が含まれていると判定した場合、前記第１の所定値を超える値である第２の所定値を最大値とする数値範囲に基づいて乱数値を選択するステップと、前記第２の無線通信端末が、選択する乱数値に対応する位置の前記スロットにて、前記データと前記識別情報とを送信するステップと、を更に有することを特徴とする。
【００１７】
本発明は、一意に識別可能な識別情報が予め付与される第１の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置とを備えた無線通信システムに更に備えられる第２の無線通信端末のコンピュータを、前記接続用無線帯域中のいずれか１つの前記スロットを通じてデータと前記識別情報とを前記無線基地局装置に送信する無線送信手段として機能させるためのコンピュータプログラムである。
【００１８】
本発明は、一意に識別可能な識別情報が予め付与される第１の無線通信端末と、接続用無線帯域中のいずれか１つのスロットを通じて前記第１の無線通信端末から送信されるランダム接続要求の無線信号を検出した場合、ランダム接続要求による接続許可を示す接続可情報を応答用無線帯域を通じて送信し、前記接続可情報を送信した前記第１の無線通信端末との間で、送受信用無線帯域を割り当て、前記送受信用無線帯域を通じて前記第１の無線通信端末から前記識別情報を含む無線信号を受信し、前記識別情報が予め登録されている場合、割り当てた前記送受信用無線帯域を通じて前記第１の無線通信端末との間でデータの送受信を行う無線基地局装置と、前記接続用無線帯域中のいずれか１つの前記スロットを通じてデータと予め付与されている一意に識別可能な識別情報とを送信する第２の無線通信端末と、を備えた無線通信システムにおける無線基地局装置のコンピュータを、前記接続用無線帯域のいずれか１つのスロットを通じて前記第２の無線通信端末から受信した前記識別情報が前記登録情報記憶手段に記憶されている識別情報と一致するか否かを判定する判定手段、前記判定手段が受信した前記識別情報が前記登録情報記憶手段に記憶されている識別情報と一致すると判定した場合、前記第２の無線通信端末から受信した前記データを読み出し、前記接続可情報を前記応答用無線帯域を通じて前記第２の無線通信端末に送信し、前記判定手段が受信した前記識別情報が前記登録情報記憶手段に記憶されている識別情報と一致しないと判定した場合、接続不許可を示す接続不可情報を前記応答用無線帯域を通じて前記第２の無線通信端末に送信する無線送信手段、として機能させるためのコンピュータプログラムである。
【００１９】
本発明は、上記に記載のいずれかのコンピュータプログラムを記録したコンピュータ読み取り可能な記録媒体である。
【発明の効果】
【００２０】
この発明によれば、無線通信システムは、第１の無線通信端末と第２の無線通信端末と無線基地局装置とを備えている。このような構成の無線通信システムに更に備えられる第２の無線通信端末について、接続用無線帯域中のいずれか１つのスロットを通じてデータと識別情報とを送信する構成とした。また、無線基地局装置について、識別情報を記憶する登録情報記憶手段と、接続用無線帯域のいずれか１つのスロットを通じて第２の無線通信端末から受信した識別情報が登録情報記憶手段に記憶されている識別情報と一致するか否かを判定する構成とし、更に、受信した識別情報が登録情報記憶手段に記憶されている識別情報と一致すると判定した場合、受信したデータを読み出し、識別情報及び接続可情報を応答用無線帯域を通じて第２の無線通信端末に送信し、受信した識別情報が登録情報記憶手段に記憶されている識別情報と一致しないと判定した場合、識別情報及び接続不可情報を応答用無線帯域を通じて第２の無線通信端末に送信する構成とした。これにより、第２の無線通信端末は、送受信用無線帯域が割り当てられることなく、無線基地局装置と第１の無線通信端末との間における通信手順に用いられる接続用無線帯域のみを用い、データを送信することが可能となる。そのため、不定期にデータの送信のみを行い、かつ送信するデータ量も少ない第２の無線通信端末による無線通信と、データの送受信が継続的に行われる第１の無線通信端末による無線通信の両方の通信について、通信時間の点及び帯域利用の点で効率よい無線通信を行うことが可能となる。
【００２１】
また、本発明によれば、無線通信システムにおける第２の無線通信端末は、無線基地局装置から応答用無線帯域を通じて情報を受信し、受信する情報に接続可情報あるいは接続不可情報が含まれているか否かを判定する構成とし、更に、応答用無線帯域を通じて受信する情報に接続可情報が含まれていると判定した場合、第１の所定値を最大値とする数値範囲に基づいて乱数値を選択し、応答用無線帯域を通じて受信する情報に前記接続不可情報が含まれていると判定した場合、第１の所定値を超える値である第２の所定値を最大値とする数値範囲に基づいて乱数値を選択し、選択する乱数値に対応する位置のスロットにて、データと識別情報とを送信する構成とした。これにより、第２の無線通信端末において、無線基地局装置にデータ送信ができなかった場合、データ送信ができた場合よりも広い数値範囲となる第２の所定値から乱数値が選択されることになり、第１の所定値と第２の所定値の差の大きさ及び第２の所定値に基づいて生成される乱数値の大きさに応じて第２の無線通信端末と無線基地局装置との間における通信回数を確率的に減少させることが可能となる。
【００２２】
また、本発明によれば、第２の無線通信端末は、第１の無線通信端末と無線基地局装置を備える無線通信システムに係る接続用無線帯域中のいずれか１つのスロットを通じてデータと識別情報とを無線基地局装置に送信する構成とした。これにより、送受信用無線帯域が割り当てられることなく、無線基地局装置と第１の無線通信端末との間における通信手順に用いられる接続用無線帯域のみを用い、データを送信することが可能となる。そのため、不定期にデータの送信のみを行い、かつ送信するデータ量も少ない第２の無線通信端末による無線通信と、データの送受信が継続的に行われる第１の無線通信端末による無線通信の両方の通信について、通信時間の点及び帯域利用の点で効率よい無線通信を行うことが可能となる。
【００２３】
また、本発明によれば、第２の無線通信端末は、無線基地局装置から応答用無線帯域を通じて情報を受信し、受信する情報に接続可情報あるいは接続不可情報が含まれているか否かを判定する構成とし、更に、応答用無線帯域を通じて受信する情報に接続可情報が含まれていると判定した場合、第１の所定値を最大値とする数値範囲に基づいて乱数値を選択し、受信する情報に接続不可情報が含まれていると判定した場合、第１の所定値を超える値である第２の所定値を最大値とする数値範囲に基づいて乱数値を選択し、選択する乱数値に対応する位置のスロットにて、データと識別情報とを送信する構成とした。これにより、第２の無線通信端末において、無線基地局装置にデータ送信ができなかった場合、データ送信ができた場合よりも広い数値範囲となる第２の所定値から乱数値が選択されることになり、第１の所定値と第２の所定値の差の大きさ及び第２の所定値に基づいて生成される乱数値の大きさに応じて第２の無線通信端末と無線基地局装置との間における通信回数を確率的に減少させることが可能となる。
【００２４】
また、本発明によれば、第２の無線通信端末は、第１の所定値と第２の所定値とを記憶する記憶手段を備えている。また、第２の無線通信端末は、応答用無線帯域を通じて受信する情報に前記接続可情報が含まれていると判定した場合、記憶手段から第１の所定値を読み出し、読み出した第１の所定値を最大値とする数値範囲に基づいて乱数値を選択し、受信する情報に接続不可情報が含まれていると判定した場合、記憶手段から第２の所定値を読み出し、読み出した第２の所定値を最大値とする数値範囲に基づいて乱数値を選択する構成とした。これにより、第２の無線通信端末の記憶手段に予め第１の所定値と第２の所定値とを記憶させておくことで、接続不可であった場合に第２の無線通信端末に係る通信回数を確率的に減少させることが可能となる。
【００２５】
また、本発明によれば、第２の無線通信端末は、第１の所定値を記憶する記憶手段を備えている。また、第２の無線通信端末は、応答用無線帯域を通じて受信する情報に接続可情報が含まれていると判定した場合、記憶手段から第１の所定値を読み出し、読み出した第１の所定値を最大値とする数値範囲に基づいて乱数値を選択し、受信する情報に接続不可情報が含まれていると判定した場合、受信した情報に含まれる第２の所定値を読み出し、読み出した第２の所定値を最大値とする数値範囲に基づいて乱数値を選択する構成とした。これにより、接続不可となった場合に、無線基地局装置から送信する第２の所定値に従って、第２の無線通信端末に係る通信回数を確率的に減少させることが可能となる。
【００２６】
また、本発明によれば、第１の無線通信端末と第２の無線通信端末と無線基地局装置とを備えた無線通信システムおける無線基地局装置について、識別情報を記憶する登録情報記憶手段を備えており、接続用無線帯域のいずれか１つのスロットを通じて第２の無線通信端末から受信した識別情報が登録情報記憶手段に記憶されている識別情報と一致するか否かを判定する。また、無線基地局装置について、受信した識別情報が登録情報記憶手段に記憶されている識別情報と一致すると判定した場合、識別情報及びデータが正常に受信されたことを示す接続可情報を応答用無線帯域を通じて前記第２の無線通信端末に送信し、受信した識別情報が登録情報記憶手段に記憶されている識別情報と一致しないと判定した場合、識別情報及びデータが正常に受信されなかったことを示す接続不可情報を応答用無線帯域を通じて第２の無線通信端末に送信する構成とした。これにより、無線基地局装置は、第２の無線通信端末に送受信用無線帯域が割り当てられることなく、無線基地局装置と第１の無線通信端末との間における通信手順に用いられる接続用無線帯域のみを用い、第２の無線通信端末とデータを送信することが可能となる。そのため、不定期にデータの送信のみを行い、かつ送信するデータ量も少ない第２の無線通信端末による無線通信と、データの送受信が継続的に行われる第１の無線通信端末による無線通信の両方の通信について、通信時間の点及び帯域利用の点で効率よい無線通信を行うことが可能となる。
【００２７】
また、本発明によれば、無線基地局装置は、第２の無線通信端末がスロットの位置を選択するために第２の無線通信端末によって用いられる第２の所定値を記憶する記憶手段を備え、受信した識別情報が登録情報記憶手段に記憶されている識別情報と一致しないと判定した場合、識別情報及び接続不可情報及び第２の記憶手段に記憶されている第２の所定値を応答用無線帯域を通じて第２の無線通信端末に送信する構成とした。これにより、第２の無線通信端末が接続不可となった場合に、無線基地局装置から送信する第２の所定値に従って、第２の無線通信端末に係る通信回数を確率的に減少させることが可能となる。
【発明を実施するための最良の形態】
【００２８】
以下、本発明の実施形態について図面を参照して説明する。
図１は、本実施形態に係る無線通信システム１を示す概略ブロック図である。無線通信システム１は、上述したＴＤＭＡ／ＴＤＤ方式による無線通信を行うシステムである。無線通信システム１において、無線通信端末２０は、ＴＤＭＡ／ＴＤＤ方式における既存の無線通信端末であり、ある程度の容量のデータについて無線基地局装置３０との間でデータの送信及び受信を行う。無線通信端末２０としては、例えばパーソナルコンピュータ等に接続される無線通信用のデバイスなどが適用される。無線通信端末１０は、ＴＤＭＡ／ＴＤＤ方式を用いて無線基地局装置３０に対して送信のみを行う無線通信端末であり、無線通信端末２０に比べて、送信するデータの容量が少なく、不定期にデータの送信のみを行う。無線通信端末１０としては、例えば無線タグなどが適用される。無線基地局装置３０は、無線通信端末１０及び無線通信端末２０との間で無線による通信を行う。
【００２９】
なお、上述した第１の無線通信端末は、無線通信端末２０に対応し、第２の無線通信端末は、無線通信端末１０に対応し、無線基地局装置は、無線基地局装置３０に対応する。
【００３０】
図２は、ＴＤＭＡ／ＴＤＤ方式における通信フレームを示した図である。図２に示すようにＴＤＭＡ／ＴＤＤ方式では、固定時間長のＭＡＣ(Media Access Control)フレームにより通信帯域が予め区切られており、さらに１つのＭＡＣフレーム中は、幾つかの領域に分けられている。
【００３１】
図２のＭＡＣフレームにおいて、ＢＣＨ(Broadcast CHannel)は、無線基地局装置３０が、無線基地局装置３０に予め付与されている基地局ＩＤ及びＮＥＴ−ＩＤ等の制御情報を無線通信端末１０，２０に送信するためのチャネルである。また、無線基地局装置３０は常に基地局ＩＤ及びＮＥＴ−ＩＤ等の制御情報をＢＣＨを通じて送信しており、無線通信端末１０，２０はＢＣＨを検出することによりＭＡＣフレームに対して同期を行う。ＦＣＨ(Frame CHannel)は、無線基地局装置３０がＭＡＣフレーム内に存在する領域の位置情報や割り当て情報等の制御情報を無線通信端末１０，２０に通知する際に用いられるチャネルである。
【００３２】
ＲＣＨ(Random access Channel)は、無線通信端末１０，２０が、送信を開始する際に最初に無線基地局装置３０に、接続を開始するための契機となるランダム接続要求を送信するために用いられるチャネルである。ＲＣＨは複数のスロットに区切られており、無線通信端末１０，２０は任意のスロットを選択し、無線基地局装置３０へランダム接続要求を送信する。なお、ＭＡＣフレーム中のＲＣＨの開始位置情報はＦＣＨから通知され、無線通信端末１０，２０はＦＣＨから開始位置情報を受信し、受信したＲＣＨの開始位置情報に基づいてＲＣＨの領域を検出し、送信に用いるＲＣＨのスロットを選択する。ＲＣＨの各スロットは、送信を開始する際の制御情報等の送信に用いられるため容量は、後述するＤＬやＵＬで１つの無線通信端末に割り当てられる容量よりも少ない容量となっている。
【００３３】
ＡＣＨ(Access Feedback Channel)は、無線基地局装置３０がＲＣＨから受信した情報に応じた送信結果の情報を無線通信端末１０，２０に通知する際に用いられるチャネルであり、ＲＣＨのスロットの位置に対応付けて値が設定できるようになっている。ＡＣＨを通じて送信される情報を受信する無線通信端末１０，２０は、自らが送信したＲＣＨのスロットの位置に対応するＡＣＨの所定位置をＦＣＨに含まれる情報から読み出し、読み出した所定位置に設定されている値を参照することにより、送信したランダム接続要求が無線基地局装置３０によって受信されたか否かを判定する。
【００３４】
ＤＬ(Down Link)は、無線基地局装置３０が無線通信端末２０に対してデータを送信する際に用いられるチャネルである。ＵＬ（Up Link）は、無線通信端末２０が無線基地局装置３０にデータを送信する際に用いられるチャネルである。ＤＬ及びＵＬは、通信が開始される前に、ＦＣＨに従って、無線通信端末２０ごとに帯域が割り当てられる。
【００３５】
なお、上述した接続用無線帯域とはＲＣＨに対応し、応答用無線帯域は、ＡＣＨに対応し、送受信用無線帯域は、ＤＬ及びＵＬに対応する。
【００３６】
次に、図３を参照して、無線基地局装置３０と無線通信端末２０との間で行われるＴＤＭＡ／ＴＤＤ方式における通信手順について説明する。
図３のシーケンスが開始される前提として、無線通信端末２０が、最初のＭＡＣフレーム（第１のＭＡＣフレームと記載）のＢＣＨを検出して、同期を行い、第１のＭＡＣフレームのＢＣＨから基地局ＩＤとＮＥＴ−ＩＤ等の制御情報を受信し、接続すべき無線基地局装置３０を選択しているものとする。また、無線通信端末２０は同期を行ったＢＣＨのＭＡＣフレームに含まれるＦＣＨから第１のＭＡＣフレームにおけるＲＣＨの開始位置情報とＲＣＨのスロット数を読み出しているものとする。
【００３７】
上記の状態にて、無線通信端末２０は、通信を開始する際に、上述したランダム接続要求に相当するＭＡＣ−ＩＤを要求するＭＡＣ−ＩＤ要求メッセージを無線基地局装置３０に送信する。ＭＡＣ−ＩＤ要求メッセージを送信する際に、無線通信端末２０は内部で乱数値を生成し、生成した乱数値をＭＡＣ−ＩＤ要求メッセージに含めて送信する。無線基地局装置３０は、当該ＭＡＣ−ＩＤ要求メッセージを受信し、ＭＡＣ−ＩＤを割り当てる場合に、後述する第３段階のＤＬを通じて、ＭＡＣ−ＩＤ要求メッセージに含まれる乱数値と割り当てるＭＡＣ−ＩＤを対応付けて無線通信端末２０に送信する。このような手順を採用することにより、無線基地局装置３０が、複数の無線通信端末２０からＭＡＣ−ＩＤ要求メッセージを受信した場合にも、乱数値ごとにＭＡＣ−ＩＤを割り当てることで、全ての無線通信端末２０に割り当てたＭＡＣ−ＩＤを通知することができる。
【００３８】
このＭＡＣ−ＩＤ要求メッセージは第１のＭＡＣフレームのＲＣＨを通じて無線基地局装置３０に送信される。無線基地局装置３０は、ＲＣＨから受信したＭＡＣ−ＩＤ要求メッセージに基づいて、ランダム接続を許可するか否かを判定する接続可否判定を行う（第１段階）。正常に復調できた場合には、ランダム接続許可の状態として判定し、衝突が発生し、正常に復調できない場合、ランダム接続不許可の状態として判定する。なお、ＭＡＣ−ＩＤとは、無線基地局装置３０が、配下の無線通信端末２０を識別するための情報である。
【００３９】
次に、無線基地局装置３０は、第２のＭＡＣフレームのＡＣＨを通じて、送信結果の情報を無線通信端末２０に通知する。上記の第１段階にて、ＲＣＨから無線基地局装置３０がＭＡＣ−ＩＤ要求メッセージを受信した場合であって、正常に復調できた場合には、ＲＣＨからＭＡＣ−ＩＤ要求メッセージを受信した際のＲＣＨのスロット位置に対応するＡＣＨの所定位置に「接続可情報」を示す値を設定し、無線通信端末２０に通知する。一方、衝突が発生し、復調ができない場合等には、ＡＣＨには何も設定せず（以下、この状態を「未設定」状態と記載）、無線通信端末２０に通知する。ＡＣＨを通じて通知される送信結果が「未設定」の場合、無線通信端末２０はＭＡＣ−ＩＤ要求メッセージを再送することとなる（第２段階）。
【００４０】
ここで、具体的なＡＣＨにおける「接続可情報」を示す値の設定方法としては、何も値を設定しない場合、すなわち「未設定」の場合には、ＡＣＨの所定位置の値を「０」とし、「接続可情報」を設定する場合には、当該所定位置の値を「１」に設定するといった方法がある。また、さらに、「接続可情報」を設定する際に、所定位置の値に「１」を設定する替わりに、無線通信端末２０が自らが送信したＭＡＣ−ＩＤ要求メッセージであるか否かを識別できるような値としてもよい。例えば、無線通信端末２０が、内部で乱数値を生成し、生成した乱数値をＭＡＣ−ＩＤ要求メッセージとともにＲＣＨを通じて送信し、送信した乱数値を内部に記憶しておく。無線基地局装置３０は、ＲＣＨから受信できた場合には、ＡＣＨに乱数値を設定する。無線通信端末２０は、内部に記憶している乱数値と同じ値がＡＣＨに設定されているか否か判定し、同じ値が設定されている場合、正常に送信されたことを検出することができる。一方、乱数値が一致していない場合には、無線通信端末２０は、ＭＡＣ−ＩＤ要求メッセージを再送する。これにより、他の無線通信端末が同じＲＣＨのスロットを用いて送信した場合であっても、自らが送信した信号が受信されたか否かを一意に判定することが可能となる。
なお、ＡＣＨで「接続可情報」を通知する際に用いられる乱数値と、ＭＡＣ−ＩＤ割り当てに用いられる乱数値は、同じ値を用いても、別個に２つの乱数値を生成するようにしてもよい。
【００４１】
次に、無線基地局装置３０は、第３のＭＡＣフレームのＤＬにて当該無線通信端末２０からの乱数値と割り当てるＭＡＣ−ＩＤとを対応付けた情報を無線通信端末２０に送信する。また、複数の無線通信端末２０からＭＡＣ−ＩＤ要求メッセージを受信した場合には、乱数値と割り当てるＭＡＣ−ＩＤとの対応付けた情報を全ての無線通信端末２０に送信する。当該乱数値とＭＡＣ−ＩＤとを対応付けた情報をＤＬを通じて受信した無線通信端末２０は、自らが生成した乱数値に対応付けられているＭＡＣ−ＩＤを読み出し、自らのＭＡＣ−ＩＤとして内部に設定する。これにより当該無線通信端末２０に対して制御情報用の帯域が割り当てられることになる（第３段階）。
【００４２】
無線基地局装置３０は、第４のＭＡＣフレームのＦＣＨを通じて第３のＭＡＣフレームにて割り当てたＭＡＣ−ＩＤと当該ＭＡＣ−ＩＤに対応する無線通信端末２０に割り当てられる制御情報用のＵＬの開始位置情報、割り当て情報及びその帯域容量が無線通信端末２０に送信される。ＦＣＨからＭＡＣ−ＩＤとＵＬの割り当て情報を受信した無線通信端末２０は、ＵＬを通じて制御情報に相当する端末ＩＤを含む接続要求メッセージを送信する。ＵＬから接続要求メッセージを受信した無線基地局装置３０は、接続要求メッセージとともに送信される端末ＩＤを受信し、受信した端末ＩＤが登録されている端末ＩＤと一致するか否かを判定することにより当該無線通信端末２０の認証を行う（第４段階）。ここで、端末ＩＤとは予め全ての無線通信端末（無線通信端末１０及び無線通信端末２０）に割り当てられている一意に識別可能な識別情報であり、当該端末ＩＤは予め無線基地局装置３０の内部に記憶されている。
【００４３】
無線基地局装置３０が、認証により当該無線通信端末２０が登録されている端末であると判定した場合、第５のＭＡＣフレームのＦＣＨを通じて、当該無線通信端末２０に対応するＤＬの割り当て情報を送信するとともにＤＬを通じて制御情報に相当する接続応答メッセージを送信する。（第５段階）。
【００４４】
第５のＭＡＣフレームのＤＬから接続応答メッセージを受信した無線通信端末２０は、第６のＭＡＣフレームのＦＣＨを通じて受信する自らのＭＡＣ−ＩＤと当該ＭＡＣ−ＩＤに対して割り当てられているＵＬ内の割り当て情報に従って制御情報に相当するデータ通信用の帯域要求を無線基地局装置３０に送信する（第６段階）。
【００４５】
そして、第６のＭＡＣフレームのＦＣＨを通じて受信する自らのＭＡＣ−ＩＤと当該ＭＡＣ−ＩＤに対して割り当てられているＵＬ内の割り当て情報に従い、データ通信用に割り当てられるＵＬ内の帯域を通じて無線基地局装置３０にデータを送信する（第７段階）。
【００４６】
無線通信端末２０と無線基地局装置３０との間における無線通信は、上述した図３の手順に従って、ＭＡＣ−ＩＤとＭＡＣ−ＩＤに関連付けられるＵＬとＤＬ中の帯域が無線通信端末２０に割り当てられることにより行われる。一方、無線通信端末１０と無線基地局装置３０との間における無線通信は、図４に示すような手順に従うことによって行われる。以下、図４を参照して本実施形態に係る無線通信端末１０と無線基地局装置３０との間における通信手順について説明する。
【００４７】
図４の手順の前提として、上述した無線通信端末２０の通信手順と同様に、無線通信端末１０は、最初のＭＡＣフレームのＢＣＨを検出して、同期を行い、当該ＭＡＣフレームのＢＣＨから基地局ＩＤとＮＥＴ−ＩＤ等の制御情報を読み出し、接続すべき無線基地局装置３０を選択しているものとする。また、無線通信端末１０は同期を行ったＢＣＨに続くＦＣＨから当該ＭＡＣフレームにおけるＲＣＨの開始位置情報を読み出しているものとする。
【００４８】
無線通信端末１０は、開始位置情報に示されるＲＣＨの中からスロットを選択し、当該スロットを通じてデータと、無線通信端末１０に予め付与されている端末ＩＤとを無線基地局装置３０に送信する（ステップＳ１）。ＲＣＨからデータと端末ＩＤとを受信した無線基地局装置３０は、受信した端末ＩＤが予め登録されている端末ＩＤであるか否かを判定により認証する（ステップＳ２）。無線基地局装置３０は、認証した結果、受信した端末ＩＤが登録されている端末ＩＤである場合、無線基地局装置３０は、端末ＩＤを受信した際のＲＣＨのスロット位置に対応するＡＣＨの所定位置に「接続可情報」を示す値を設定して無線通信端末１０に通知する。一方、登録されていない端末ＩＤである場合、無線基地局装置３０は、「接続可情報」を通知するために使用する所定位置とは別の所定位置に、予め登録されておらずデータ送信に係る接続を許可しない「接続不可情報」を示す値を設定して無線通信端末１０に通知する（以下、接続可情報を通知するために使用する所定位置を第１の所定位置として記載し、前記別の所定位置を第２の所定位置と記載）。
【００４９】
ＡＣＨを通じて送信結果の情報の通知を受けた無線通信端末１０は、ＦＣＨを参照し、自らが送信したＲＣＨのスロットの位置に対応するＡＣＨの第１の所定位置に「接続可情報」を示す値が設定されているか否かを判定する。当該第１の所定位置に「接続可情報」を示す値が設定されている場合、データが無線基地局装置３０に受信されたとして検出する。一方、当該第１の所定位置には何も設定されていない状態、すなわち「未設定」の場合、第２の所定位置を参照し、第２の所定位置に「接続不可情報」を示す値が設定されている場合、無線基地局装置３０によって受信されたが、データ送信のための接続が許可されなかったとして検出する。また、さらに、第２の所定位置に何も設定されていない状態である場合、無線基地局装置３０によって送信した無線信号が受信されなかったとして検出する（ステップＳ３）。
【００５０】
なお、「接続可情報」あるいは「接続不可情報」を示す値として、上述した無線通信端末２０のように乱数値を用いて一意に識別できる値を適用してもよいが、無線通信端末１０の場合、端末ＩＤを用いることにより、ＡＣＨで通知された送信結果の情報に示される値が自らの端末ＩＤであるか否かを判定して、送信したデータが無線基地局装置３０によって正常に受信されたか否かを検出することができる。
【００５１】
上記のようにＡＣＨに第２の所定位置を設け、当該位置にて登録されている端末であるか否かを通知できるようにしたため、無線通信端末１０においては、データ送信時に認証を行い認証結果をＡＣＨにて通知することが可能となる。また、このように構成したことで、無線通信端末２０の構成への影響はなく、無線基地局装置３０に無線通信端末１０を収容するための構成を追加するだけで、無線通信端末１０と無線通信端末２０を用途に応じて用いることが可能な無線通信システムを実現することができる。
【００５２】
図４の通信手順により、無線通信端末１０の場合、無線通信端末２０のように無線基地局装置３０から帯域割り当てのための識別情報となるＭＡＣ−ＩＤの割り当て、帯域の割り当ての手続を行うことなく、無線通信端末１０はＲＣＨのみを用いてデータを無線基地局装置３０に送信することができる。無線基地局装置３０が付与するＭＡＣ−ＩＤは有限であるため、無線基地局装置３０と通信が可能な無線通信端末２０は制限され、さらに無線通信を行っていない場合であってもＭＡＣ−ＩＤが開放されるまで、他の無線通信端末２０は通信を開始することができず、無線帯域に係るリソースが有効利用されない場合がある。一方、無線通信端末１０の場合には通信が可能な端末数は制限されないため、当該リソースを充分に有効利用することが可能となる。
【００５３】
また、無線通信端末２０の場合、リソースの有効利用のために無線通信を行っていない端末を開放して、他の無線通信端末２０を接続するようにしてもよいが、その場合、図３に示すようにＭＡＣ−ＩＤ割り当て、帯域割り当て等の手順を行った後に、無線通信を開始することになる。一方、無線通信端末１０の場合には、図４に示すＲＣＨを通じた１回の送信でデータを送信することができるため、データ送信が完了するまでに要する時間を大幅に削減することが可能であり、無線帯域の占有時間も削減されるため、送信するデータが少量である場合には、無線通信端末１０を適用する方が、無線帯域に係るリソースを充分に有効利用することが可能となる。
【００５４】
ＲＣＨは無線通信端末１０及び無線通信端末２０によって共通で利用されるチャネルであるため、無線通信端末１０及び無線通信端末２０が同じＲＣＨのスロットを利用しまうと、衝突が発生し、無線基地局装置３０は送信される情報をＲＣＨから受信することができなくなる。そこで、無線通信端末１０と、無線通信端末２０及び複数の無線通信端末１０と無線通信端末２０が存在する場合にあっては、無線通信端末１０同士、無線通信端末２０同士の間でスロットが重複して利用されないようにする必要がある。
【００５５】
図５は、ＴＤＭＡ／ＴＤＤ方式で採用されている、ＲＣＨのスロットが選択される際の重複を回避するための手段を示した概念図である。
無線通信端末２０及び無線通信端末１０は、予め与えられる数値範囲から一様乱数を発生させ、それにより得られる乱数値に対応するＲＣＨのスロットの位置で送信を行うことにより衝突を回避する構成を有している。例えば、図５に示すように１つのＭＡＣフレームのＲＣＨにスロットが１０個存在する場合に、乱数値として２４が得られると、２５番目のスロットが選択されることになる。当該２５番目のスロットは、３つめのＭＡＣフレームの５番目のスロットに対応するため、当該スロットにて無線通信端末２０及び無線通信端末１０から無線基地局装置３０に対して送信が行われることになる。これにより、一様乱数によって生成される乱数値のばらつきの度合いの確率に応じて、重複を回避することが可能となる。
【００５６】
なお、上記の構成では、各ＭＡＣフレームに含まれるＲＣＨのスロット数を固定数として説明したが、本発明はこれに限られず、各ＭＡＣフレームに含まれるＲＣＨのスロット数が可変であってもよい。その場合、無線通信端末１０は、各ＭＡＣフレームのＦＣＨを参照し、当該ＭＡＣフレームに含まれるＲＣＨのスロット数を読み出し、読み出したスロット数に基づいて上記の計算を行い、送信を行うスロット位置を算出することになる。
【００５７】
ところで、図４で説明した無線通信端末１０によるデータ送信の場合、登録されていない無線通信端末１０であっても、不定期に多数の通信を行うことが可能であり、ＲＣＨのスロットが多数利用されてしまうと、登録されている無線通信端末１０が利用する場合や、無線通信端末２０が通信を開始する際に利用する場合に、ＲＣＨのスロットの利用において重複が生じてしまう場合がある。そこで、以下に、そのような登録されていない無線通信端末１０からのデータの送信を抑制するための手段を具備した２つの実施形態の無線通信端末１０と無線基地局装置３０について説明する。
【００５８】
（第１実施形態）
図６から図１０を参照して、第１実施形態に係る無線通信端末１０ａ及び無線基地局装置３０ａについて説明する。
【００５９】
図６は、第１実施形態に係る無線通信端末１０ａの内部構成を示したブロック図である。無線通信端末１０ａにおいて、無線受信部１５は、アンテナ１７を介して無線基地局装置３０ａからＭＡＣフレーム中のＢＣＨにより同期を行い、またＦＣＨやＡＣＨを通じて通知される情報を受信して当該情報を読み出す。無線送信部１４は、ＭＡＣフレーム中の指定されたＲＣＨのスロットを通じ、アンテナ１７を介してデータ及び端末ＩＤを無線基地局装置３０ａに送信する。情報入力部１３は、送信するデータを入力する。記憶部１６ａは、上述したＲＣＨのスロットを選択する際に生成する乱数値を発生させる際の数値範囲の情報を記憶している。記憶部１６ａにおいて、「候補値」の項目には、乱数を発生させる数値範囲の最大値となる値が記憶される。「接続可」の項目には、無線基地局装置３０ａからＡＣＨを通じて通知される送信結果が「接続可状態」の場合に選択される、上述した第１の所定値に対応する候補値が記憶される。「接続不可」の項目には、無線基地局装置３０ａからＡＣＨを通じて通知される送信結果が「接続不可情報」の場合に選択される、上述した第２の所定値に対応する候補値が記憶される。図６では、例として、「候補値」として１０、「接続可」の値として１０、「接続不可」の値として１００００が記憶されている。
【００６０】
判定部１２ａは、ＡＣＨを通じて無線基地局装置３０ａから送信される送信結果の情報が「接続可情報」、あるいは「接続不可情報」、あるいは何も設定されていない「未設定」の状態かを判定する。また、判定部１２ａは、判定した結果に基づいて、記憶部１６ａの「接続可」に対応する値を読み出して、記憶部１６ａの「候補値」に記録するか、あるいは「接続不可」に対応する値を読み出して、記憶部１６ａの「候補値」に記録する。選択部１１は、上述したＲＣＨのスロットを割り当てる際に用いられる乱数値を、記憶部１６ａに記憶されている候補値の値を最大値とし、０から当該最大値までの数値範囲から一様乱数を発生させ、発生させることにより得られる乱数値を選択し、無線送信部１４に出力する。
【００６１】
なお、「未設定」の場合に「接続可情報」と同じ値を選択し、記憶部１６ａの「候補値」の項目に記録するのではなく、その時点で「候補値」の項目に記録されている候補値に従って、通信方式に従った再送を行うようにしてもよい。
【００６２】
図７は、第１実施形態に係る無線基地局装置３０ａの内部構成を示したブロック図である。無線基地局装置３０ａにおいて、無線受信部３４は、アンテナ３５を介して無線通信端末１０からＭＡＣフレーム中のＲＣＨを通じて送信されるデータ及び端末ＩＤを受信して読み出す。また、無線受信部３４は、上述した無線通信端末２０からＭＡＣフレーム中のＲＣＨ及びＵＬを通じて送信される情報も受信する。無線送信部３３ａは、ＭＡＣフレーム中のＢＣＨ、ＦＣＨ、ＡＣＨ及びＤＬを通じて情報の送信を行う。登録情報記憶部３６は、無線通信端末１０ａ及び２０の端末ＩＤを記憶する。判定部３１は、無線受信部３４がＲＣＨを通じて無線通信端末１０ａからデータとともに受信する端末ＩＤが、登録情報記憶部３６に記憶されている端末ＩＤであるか否かを判定し、その判定結果を無線送信部３３ａに出力する。なお、図７においては、無線基地局装置３０ａの構成として無線通信端末１０ａとの間における通信手順で必要となる構成についてのみ示したが、無線通信端末２０との間における通信手順で必要となる構成も備えているものとする。
【００６３】
図８は、無線基地局装置３０ａが無線通信端末１０ａからＲＣＨを通じてデータと端末ＩＤを受信した際の処理を示したフローチャートである。まず最初に、無線基地局装置３０ａの無線受信部３４は、ＲＣＨを通じて無線通信端末１０ａからデータとともに端末ＩＤを受信し、端末ＩＤを読み出して判定部３１に出力する。また、このとき、無線受信部３４は、当該端末ＩＤを受信したＲＣＨのスロット位置情報を内部の記憶領域に記憶する（ステップＳａ１）。端末ＩＤが入力される判定部３１は、入力される端末ＩＤが登録情報記憶部３６に記憶されている端末ＩＤに一致するか否かを判定する（ステップＳａ２）。入力される端末ＩＤが登録情報記憶部３６に記憶されている端末ＩＤと一致する場合、判定部３１は、登録されている無線通信端末であることを示す情報を無線受信部３４と無線送信部３３ａに出力する。当該情報が入力される無線受信部３４は、受信した情報からデータを読み出す。また、当該情報が入力される無線送信部３３ａは、無線受信部３４が記憶している当該端末ＩＤを受信した際のＲＣＨのスロット位置に基づいて、ＡＣＨの第１の所定位置に「接続可情報」を設定して無線通信端末１０ａに通知する（ステップＳａ３）。
【００６４】
一方、受信した端末ＩＤが登録情報記憶部３６に記憶されている端末ＩＤと一致しない場合、判定部３１は、登録されていない無線通信端末であることを示す情報を無線送信部３３ａに出力し、当該情報が入力される無線送信部３３ａは、無線受信部３４が記憶している当該端末ＩＤを受信したＲＣＨのスロット位置情報に基づいて、ＡＣＨの第２の所定位置に「接続不可情報」を設定して無線通信端末１０ａに通知する。このとき、無線受信部３４によって受信されたデータは破棄される（ステップＳａ４）。
【００６５】
なお、ＲＣＨを通じて送信される無線信号が復調されない場合、無線基地局装置３０ａは、データ及び端末ＩＤを検出することができないため、ＡＣＨには何も設定しない「未設定」の状態で通知を行うことになる。
また、無線受信部３４が、ＲＣＨから情報を受信する処理は、上述した図４のステップＳ１に対応する処理であり、判定部３１によって行われる処理は、図４のステップＳ２に対応する処理であり、無線送信部３３ａが、ＡＣＨを通じて無線通信端末１０ａに通知する処理は、上述した図４のステップＳ３に対応する処理である。
【００６６】
図９は、第１実施形態に係る無線通信端末１０ａがＡＣＨを通じてデータの送信結果の通知を受けた際の処理を示したフローチャートである。最初に、無線受信部１５が、ＡＣＨを通じて無線基地局装置３０ａから送信される送信結果の情報を受信し、受信した送信結果の情報を読み出して判定部１２ａに出力する（ステップＳｂ１）。送信結果の情報が入力される判定部１２ａは、ＡＣＨを通じて通知された送信結果の情報が「接続可情報」、あるいは「接続不可情報」、あるいは「未設定」であるかを判定する（ステップＳｂ２）。「接続可情報」あるいは「未設定」である場合、判定部１２ａは、記憶部１６ａの「接続可」に対応する値を読み出して、記憶部１６ａの「候補値」に読み出した値を記録する（ステップＳｂ３）。一方、「接続不可情報」である場合、判定部１２ａは、記憶部１６ａの「接続不可」に対応する値を読み出して、記憶部１６ａの「候補値」に読み出した値を記録する（ステップＳｂ４）。
なお、無線受信部１５が、ＡＣＨから情報を受信する処理は、上述した図４のステップＳ３に対応する処理である。
【００６７】
図１０は、無線通信端末１０ａによって行われるＲＣＨのスロットの選択の処理を示したフローチャートであり、上記の図５で説明したＲＣＨのスロット選択の手順の詳細処理を示したものに相当する。
【００６８】
まず最初に、無線通信端末１０ａは、情報入力部１３により送信するデータが無線送信部１４に入力される（ステップＳｃ１）。情報入力部１３により送信するデータが無線送信部１４に入力されたことを検出した選択部１１は、記憶部１６ａの「候補値」から値を読み出し、０から読み出した値を最大値とする数値範囲で一様乱数を発生させ、発生により得られる乱数値を選択する（ステップＳｃ２）。次に、無線送信部１４は、選択部１１により選択される乱数値に１を加えた値をＲＣＨが有するスロット数で除算し、除算により得られた商の値に対応する待機するＭＡＣフレーム数と、剰余の値に対応する待機後のＭＡＣフレームのＲＣＨにおいて利用するスロット数を算出する（ステップＳｃ３）。無線送信部１４は、無線受信部１５がＭＡＣフレームのＢＣＨを検出した情報を無線受信部１５から受信する（ステップＳｃ４）。無線送信部１４は、無線受信部１５からＢＣＨが検出した情報を受信した回数をカウントし、カウントした回数が検出待機するＭＡＣフレーム数と一致するか否かを判定する（ステップＳｃ５）。無線送信部１４は、一致しない間ステップＳｃ４とＳｃ５の処理を繰り返し、一致した場合に、無線受信部１５によってＢＣＨが検出されたＭＡＣフレームの次のＭＡＣフレームのＲＣＨにおいて算出したスロット位置で、データと端末ＩＤを送信する（ステップＳｃ６）。
【００６９】
なお、上記の第１実施形態に係る無線通信端末１０ａ及び無線基地局装置３０ａは、それぞれ無線通信システム１の構成において無線通信端末１０と無線基地局装置３０に対応する。
【００７０】
上記の第１実施形態の構成により、無線通信端末１０ａの記憶部１６ａが記憶する「接続不可」に対応する値を非常に大きな値としておくことで、送信結果が「接続不可」とされた無線通信端末１０ａは、非常に大きな値を最大値とする数値範囲から乱数値を選択することになり、その際に選択される値は、非常に大きい値となる確率が高く、当該無線通信端末１０ａによって通信される確率を大幅に低下させることが可能となる。
【００７１】
（第２実施形態）
次に、第２実施形態に係る無線通信端末１０ｂ及び無線基地局装置３０ｂについて説明する。第２実施形態では、第１実施形態において、送信結果の情報が「接続可」の場合に対応する値と「接続不可」の場合に対応する値とが、無線通信端末１０ａの記憶部１６ａに記憶されていたのに対して、「接続不可」の場合に対応する値（上述した第２の所定値）が、無線基地局装置３０ｂから送信される点で構成が異なる。以下、この構成の違いについて説明する。
【００７２】
図１１は、第２実施形態に係る無線通信端末１０ｂの内部構成を示したブロック図である。第２実施形態に係る無線通信端末１０ｂにおいて、記憶部１６ｂと判定部１２ｂ以外の構成については、第１実施形態に係る無線通信端末１０ａと同じ構成であるため、同じ符号を付し、以下、記憶部１６ｂと判定部１２ｂについて説明する。
【００７３】
第２実施形態に係る無線通信端末１０ｂの記憶部１６ｂは、乱数生成に用いられる「候補値」の値と、送信結果の情報が「接続可情報」の場合に選択される値とを記憶しており、送信結果の情報が「接続不可情報」の場合に対応する値を記憶していない。判定部１２ｂは、ＡＣＨを通じて無線基地局装置３０ｂから通知される送信結果の情報が「接続可情報」、あるいは「接続不可情報」、あるいは「未設定」であるかを判定する。また、判定部１２ｂは、判定した結果に基づいて、記憶部１６ｂの「接続可」に対応する値を読み出して、記憶部１６ｂの「候補値」に記録するかあるいは、「接続不可」に対応する値を読み出して、記憶部１６ｂの「候補値」に記録する。また、判定部１２ｂは、「接続不可情報」が通知されたと判定した場合、無線受信部１５を介してＦＣＨを参照し、ＡＣＨに含まれる無線基地局装置３０ｂから送信される「接続不可」の場合の候補値が設定されている位置を検出し、当該候補値を読み出して、記憶部１６ｂの「候補値」に記録する。
【００７４】
図１２は、第２実施形態に係る無線基地局装置３０ｂの内部構成を示したブロック図である。第２実施形態に係る無線基地局装置３０ｂは、記憶部３７と、無線送信部３３ｂ以外の構成については、第１実施形態に係る無線基地局装置３０ａの構成と同じ構成であるため、同じ符号を付し、以下、記憶部３７と無線送信部３３ｂについて説明する。
【００７５】
記憶部３７は、無線通信端末１０ｂが登録されていない端末である場合、送信結果の情報である「接続不可情報」とともに通知する乱数生成の候補値として用いられる値を記憶する。無線送信部３３ｂは、送信結果の情報として「接続不可情報」を通知する際に、当該記憶部３７から「接続不可」に対応する値を読み出してＡＣＨを通じて無線通信端末１０ｂに通知する。
なお、「接続不可」に対応する値を「接続不可情報」を通知するごとに読み出して、ＡＣＨを通じて無線通信端末１０ｂに通知するのではなく、常に、無線基地局装置３０ｂがＡＣＨを通じて「接続不可」に対応する値を通知しておき、「接続不可情報」を受信した無線通信端末１０ｂが、ＡＣＨに設定されている「接続不可」に対応する値を参照するようにしてもよい。
【００７６】
図１３は、無線基地局装置３０ｂが無線通信端末１０ｂからＲＣＨを通じてデータと端末ＩＤを受信した際の処理を示したフローチャートである。まず最初に、無線基地局装置３０ｂの無線受信部３４は、ＲＣＨを通じて無線通信端末１０ｂからデータと端末ＩＤを受信し、端末ＩＤを読み出して判定部３１に出力する。また、このとき、無線受信部３４は、当該端末ＩＤを受信したＲＣＨのスロット位置情報を内部の記憶領域に記憶する（ステップＳｄ１）。端末ＩＤが入力される判定部３１は、入力される端末ＩＤが登録情報記憶部３６に記憶されている端末ＩＤに一致するか否かを判定する（ステップＳｄ２）。入力される端末ＩＤが登録情報記憶部３６に記憶されている場合、判定部３１は、登録されている無線通信端末であることを示す情報を無線受信部３４と無線送信部３３ｂに出力する。当該情報が入力される無線受信部３４は、受信した情報からデータを読み出す。また、当該情報が入力される無線送信部３３ｂは、無線受信部３４が記憶している当該端末ＩＤを受信したＲＣＨのスロット位置に基づいて、ＡＣＨの第１の所定位置に「接続可情報」を設定して無線通信端末１０ｂに通知する（ステップＳｄ３）。
【００７７】
一方、受信した端末ＩＤが登録情報記憶部３６に記憶されている端末ＩＤと一致しない場合、判定部３１は、登録されていない無線通信端末であることを示す情報を無線送信部３３ｂに出力し、当該情報が入力される無線送信部３３ｂは、記憶部３７から「接続不可」の場合に対応する値を読み出す（ステップＳｄ４）。そして、無線送信部３３ｂは、無線受信部３４が記憶している当該端末ＩＤを受信したＲＣＨのスロット位置に基づいて、ＡＣＨの第２の所定位置に「接続不可情報」を設定して無線通信端末１０ｂに通知する。このとき、無線受信部３４によって受信されたデータは破棄される（ステップＳｄ５）。
なお、ＲＣＨを通じて送信される無線信号が復調されない場合、無線基地局装置３０ｂは、データ及び端末ＩＤを検出することができないため、ＡＣＨには何も設定しない「未設定」の状態で通知を行うことになる。
また、無線受信部３４が、ＲＣＨから情報を受信する処理は、第１実施形態の場合と同じく、上述した図４のステップＳ１に対応する処理であり、判定部３１によって行われる処理は、図４のステップＳ２に対応する処理であり、無線送信部３３ｂが、ＡＣＨを通じて無線通信端末１０ｂに通知する処理は、上述した図４のステップＳ３に対応する処理である。
【００７８】
図１４は、第２実施形態に係る無線通信端末１０ｂがＡＣＨからデータの送信結果の通知を受けた際の処理を示したフローチャートである。最初に、無線受信部１５が、ＡＣＨを通じて無線基地局装置３０ｂから送信される送信結果の情報を受信し、受信した情報を読み出して判定部１２ｂに出力する（ステップＳｅ１）。当該情報が入力される判定部１２ｂは、ＡＣＨを通じて通知された送信結果の情報が「接続可情報」、あるいは「接続不可情報」、あるいは「未設定」であるかを判定する（ステップＳｅ２）。「接続可情報」あるいは「未設定」である場合、判定部１２ｂは、記憶部１６ｂの「接続可」に対応する値を読み出して、記憶部１６ｂの「候補値」に読み出した値を記録する（ステップＳｅ３）。一方、「接続不可情報」である場合、判定部１２ｂは、無線受信部１５によって受信された送信結果の情報に含まれる「接続不可」の場合の候補値を読み出し（ステップＳｅ４）、読み出した候補値を記憶部１６ｂの「候補値」に記録する（ステップＳｅ５）。
記憶部１６ｂに「候補値」の値が記録された後の乱数生成の処理は、第１実施形態おける図１０で説明した処理と同じ処理が実行されることになる。
なお、無線受信部１５が、ＡＣＨから情報を受信する処理は、上述した図４のステップＳ３に対応する処理である。
【００７９】
また、上記の第２実施形態に係る無線通信端末１０ｂ及び無線基地局装置３０ｂは、それぞれ無線通信システム１の構成において無線通信端末１０と無線基地局装置３０に対応する。
【００８０】
上記の第２実施形態の構成により、無線基地局装置３０ｂの記憶部３７が記憶する「接続不可」の場合に対応する値が、無線通信端末１０ｂに送信結果の情報とともに送信されるため、予め無線通信端末１０ｂに「接続不可」の場合に対応する値を設定する必要がなくなる。また、記憶部３７に記憶させておく「接続不可」の場合に対応する値を非常に大きな値としておくことで、送信結果が「接続不可」とされた無線通信端末１０ｂは、非常に大きな値を最大値とする数値範囲から乱数値を選択することになり、その際に選択される値は、非常に大きい値となる確率が高く、当該無線通信端末１０ｂによって通信される確率を大幅に低下させることが可能となる。
【００８１】
なお、無線基地局装置３０が登録されていない無線通信端末２０に対して、上記の接続不可の状態において、乱数値を選択する際に参照される数値範囲の最大値の値を変更するようにしてもよく、その場合、図３の第５段階の接続応答において、上記の「接続不可情報」に対応する情報をＤＬを通じて無線通信端末２０に通知することにより実現するようにしてもよい。
【００８２】
また、上記の実施形態の構成に係る無線通信端末１０において、データをＲＣＨを通じて無線基地局装置３０に送信した際に、無線基地局装置３０からＡＣＨを通じて送信結果情報が送信されない場合には、無線通信端末１０からデータを再送するようにしてもよい。
【００８３】
また、上記の実施形態に係る接続不可時の候補値として、例として１００００を示したが、本発明では、接続不可時には、無線通信端末１０に殆ど通信をさせないことを目的としているため、接続可時の候補値と比べて非常に大きい値であればどのような値であってもよい。
【００８４】
また、上記の実施形態において、乱数とは、一様乱数を前提としているが、一様乱数に限られず、正規乱数、指数乱数などであってもよい。
【００８５】
また、上記の実施形態において、登録情報記憶部３６は、無線基地局装置の内部に備えられるとしたが、本発明はこれに限られず、無線基地局装置３０がネットワークを経由して参照が可能なデータベースサーバ等に備えられていてもよい。
【００８６】
また、上記の実施形態において、ＴＤＭＡ／ＴＤＤ方式の無線通信方式に適用されることを前提としていたが、本発明はこれに限られず、上記の候補値をIEEE802.11の無線通信方式におけるバックオフウインドウサイズの値に適用するようにして、上記実施形態と同様に接続不可となった場合に、無線通信端末によって通信回数を確率的に減少させるようにしてもよい。
【００８７】
上述の無線通信端末、無線基地局装置は内部に、コンピュータシステムを有している。そして、上述した無線通信端末、無線基地局装置に係る受信処理及び無線通信端末に係るスロット選択の処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００８８】
【図１】本実施形態に係る無線通信システムを示すブロック図である。
【図２】同実施形態に係るＴＤＭＡ／ＴＤＤ方式における通信フレームを示した図である。
【図３】同実施形態に係る無線基地局装置と無線通信端末との間で行われる通信手順を示したシーケンス図（その１）である。
【図４】同実施形態に係る無線基地局装置と無線通信端末との間で行われる通信手順を示したシーケンス図（その２）である。
【図５】同実施形態に係るスロットの重複を回避するための手段を示した概念図である。
【図６】第１実施形態に係る無線通信端末の内部構成を示すブロック図である。
【図７】第１実施形態に係る無線基地局装置の内部構成を示すブロック図である。
【図８】第１実施形態に係る無線基地局装置の受信処理を示したフローチャートである。
【図９】第１実施形態に係る無線通信端末の受信処理を示したフローチャートである。
【図１０】第１実施形態に係る無線通信端末のスロット選択の処理を示したフローチャートである。
【図１１】第２実施形態に係る無線通信端末の内部構成を示すブロック図である。
【図１２】第２実施形態に係る無線基地局装置の内部構成を示すブロック図である。
【図１３】第２実施形態に係る無線基地局装置の受信処理を示したフローチャートである。
【図１４】第２実施形態に係る無線通信端末の受信処理を示したフローチャートである。
【符号の説明】
【００８９】
１    無線通信システム
１０  無線通信端末
２０  無線通信端末
３０  無線基地局装置
【図１】
2007028288.tif 000003
【図２】
2007028288.tif 000004
【図３】
2007028288.tif 000005
【図４】
2007028288.tif 000006
【図５】
2007028288.tif 000007
【図６】
2007028288.tif 000008
【図７】
2007028288.tif 000009
【図８】
2007028288.tif 000010
【図９】
2007028288.tif 000011
【図１０】
2007028288.tif 000012
【図１１】
2007028288.tif 000013
【図１２】
2007028288.tif 000014
【図１３】
2007028288.tif 000015
【図１４】
2007028288.tif 000016